(57)【要約】【課題】既存のタッチパネルに改造を加えることなく、表示が見えない若しくは見にくい人等のための操作指示装置を簡易的に取り付けることを可能とする表示装置、操作指示装置および方法を提供する。【解決手段】タッチパネルの上に操作指示装置が設置されると、表示制御部はタッチパネルを操作指示装置に対応する表示レイアウトに変更し、操作指示装置のハードキーが押下されると、ハードキーが物理的にタッチパネルに接触し、表示制御部はタッチパネル上のハードキーが接触した位置を特定し、操作指示情報を認識し、光学情報受光部は光学情報発光領域のＯＮ／ＯＦＦの状態を読み取り、光学情報認識部が読み取ったＯＮ／ＯＦＦの状態からコピーモードに移行したという情報を認識し、音声ガイドをスピーカーから出力する。【選択図】図３
2006178880.tif 000002
【特許請求の範囲】
【請求項１】
タッチパネル操作指示方式を採用する表示装置の画面上に設置する操作指示装置において、
押下により前記画面と物理的に接触し、前記表示装置に対する操作指示情報を入力する少なくとも１つのハードキーと、
前記表示装置から伝送された前記操作指示情報に関する情報を示す光学情報を受け取る光学情報受取手段と、
前記光学情報受取手段で受け取った光学情報から前記操作指示情報に関する情報を認識する光学情報認識手段と、
前記光学情報認識手段で認識した情報を出力する出力手段と
を具備することを特徴とする操作指示装置。
【請求項２】
前記出力手段は、
音声出力手段であり、前記光学情報認識手段で認識した情報に対応する音声を出力する
ことを特徴とする請求項１記載の操作指示装置。
【請求項３】
タッチパネル操作指示方式を採用する画面を具備する表示装置において、
押下により前記画面と物理的に接触する少なくとも１つのハードキーを有する操作指示装置が設置された際に、所定の表示レイアウトに変更する表示制御手段と、
前記ハードキーが押下されることで該ハードキーと前記画面とが物理的に接触した際に、該接触した位置に基づいて操作指示情報を認識する操作指示情報認識手段と、
前記操作指示情報認識手段で認識した操作指示情報に関する情報を光学情報として前記操作指示装置に伝送する情報伝送手段と
を具備することを特徴とする表示装置。
【請求項４】
前記情報伝送手段は、
前記画面の特定領域の発光のＯＮ／ＯＦＦを制御することで前記光学情報を生成する
ことを特徴とする請求項３記載の表示装置。
【請求項５】
前記情報伝送手段は、
前記画面の特定領域を複数の段階を設けて表示することで前記光学情報を生成する
ことを特徴とする請求項３記載の表示装置。
【請求項６】
前記表示制御手段は、
前記ハードキー毎に前記操作指示情報が設定されている場合、該ハードキーに設定された操作指示情報に対応する表示レイアウトを表示する
ことを特徴とする請求項３記載の表示装置。
【請求項７】
タッチパネル操作指示方式を採用する表示装置の画面上に設置する操作指示装置を設置し、
前記操作指示装置の設置により、前記画面の表示レイアウトが該操作指示装置に対応する表示レイアウトに変更され、
前記操作指示装置が有するハードキーが押下されることで該ハードキーと前記画面とが物理的に接触し、
前記表示装置は前記ハードキーと接触した位置に基づき、該表示装置に対する操作指示情報を認識し、該認識した操作指示情報に関する情報を光学情報として前記操作指示装置に伝送し、
前記操作指示装置は前記表示装置から伝送された光学情報を受け取り、受け取った光学情報から前記操作指示情報に関する情報を認識し、該認識した情報を出力する
ことを特徴とする操作指示方法。
【請求項８】
前記操作指示装置は、
前記認識した情報に対応する音声を出力する
ことを特徴とする請求項７記載の操作指示方法。
【請求項９】
前記表示装置は、
前記画面の特定領域の発光のＯＮ／ＯＦＦを制御することで前記光学情報を生成する
ことを特徴とする請求項７記載の操作指示方法。
【請求項１０】
前記表示装置は、
前記画面の特定領域を複数の段階を設けて表示することで前記光学情報を生成する
ことを特徴とする請求項７記載の操作指示方法。
【請求項１１】
前記表示装置は、
前記ハードキー毎に前記操作指示情報が設定されている場合、該ハードキーに設定された操作指示情報に対応する表示レイアウトを表示する
ことを特徴とする請求項７記載の操作指示方法。
【発明の詳細な説明】
【技術分野】
【０００１】
本発明は、表示装置、操作指示装置および方法に関し、特に、操作指示を行う液晶ディスプレイを有する装置等に用いられる表示装置、操作指示装置および方法に関する。
【背景技術】
【０００２】
操作指示機能を有する情報表示装置として、ディスプレイ上にタッチパネル操作指示方式が採用されている。タッチパネル操作指示方式は極めて薄型であり、更に、スイッチとして使用できる領域の選択の自由度が高いという利点を有する。
【０００３】
通常のタッチパネル操作指示方式は視覚情報を、例えば、ＬＣＤ（液晶ディスプレイ）で表示し、ＬＣＤで指示された部位の透明パネルを押す方式であるが、透明パネルは平坦であるため、例えば、表示が見えない全盲の人等には適切に操作キーを押すことが困難である。
【０００４】
例えば、透明ハードスイッチをタッチパネルに装着して触覚情報を付加することで、操作者に操作感を与えることができ、全盲の人でもタッチパネル操作指示方式を操作することができる情報表示装置および操作入力装置がある（例えば、特許文献１参照。）。
【特許文献１】特開平１１−２１２７２５号公報
【発明の開示】
【発明が解決しようとする課題】
【０００５】
しかし、特許文献１に記載の技術では、操作入力装置と情報表示装置とが一体になっている構成であるため、このような構成を用いていない既存の装置に上記操作入力装置を簡易に取り付けることは困難である。また、操作情報はハードキーからのみの伝達のため、例えば、音声ガイドのようなハードオプションを簡易に装着することも困難である。
【０００６】
そこで、本発明は、既存のタッチパネルに改造を加えることなく、表示が見えない若しくは見にくい人等のための操作指示装置を簡易的に取り付けることを可能とする表示装置、操作指示装置および方法を提供することを目的とする。
【課題を解決するための手段】
【０００７】
上記目的を達成するため、請求項１の発明は、タッチパネル操作指示方式を採用する表示装置の画面上に設置する操作指示装置において、押下により前記画面と物理的に接触し、前記表示装置に対する操作指示情報を入力する少なくとも１つのハードキーと、前記表示装置から伝送された前記操作指示情報に関する情報を示す光学情報を受け取る光学情報受取手段と、前記光学情報受取手段で受け取った光学情報から前記操作指示情報に関する情報を認識する光学情報認識手段と、前記光学情報認識手段で認識した情報を出力する出力手段とを具備することを特徴とする。
【０００８】
また、請求項２の発明は、請求項１の発明において、前記出力手段は、音声出力手段であり、前記光学情報認識手段で認識した情報に対応する音声を出力することを特徴とする。
【０００９】
また、請求項３の発明は、タッチパネル操作指示方式を採用する画面を具備する表示装置において、押下により前記画面と物理的に接触する少なくとも１つのハードキーを有する操作指示装置が設置された際に、所定の表示レイアウトに変更する表示制御手段と、前記ハードキーが押下されることで該ハードキーと前記画面とが物理的に接触した際に、該接触した位置に基づいて操作指示情報を認識する操作指示情報認識手段と、前記操作指示情報認識手段で認識した操作指示情報に関する情報を光学情報として前記操作指示装置に伝送する情報伝送手段とを具備することを特徴とする。
【００１０】
また、請求項４の発明は、請求項３の発明において、前記情報伝送手段は、前記画面の特定領域の発光のＯＮ／ＯＦＦを制御することで前記光学情報を生成することを特徴とする。
【００１１】
また、請求項５の発明は、請求項３の発明において、前記情報伝送手段は、前記画面の特定領域を複数の段階を設けて表示することで前記光学情報を生成することを特徴とする。
【００１２】
また、請求項６の発明は、請求項３の発明において、前記表示制御手段は、前記ハードキー毎に前記操作指示情報が設定されている場合、該ハードキーに設定された操作指示情報に対応する表示レイアウトを表示することを特徴とする。
【００１３】
また、請求項７の発明は、タッチパネル操作指示方式を採用する表示装置の画面上に設置する操作指示装置を設置し、前記操作指示装置の設置により、前記画面の表示レイアウトが該操作指示装置に対応する表示レイアウトに変更され、前記操作指示装置が有するハードキーが押下されることで該ハードキーと前記画面とが物理的に接触し、前記表示装置は前記ハードキーと接触した位置に基づき、該表示装置に対する操作指示情報を認識し、該認識した操作指示情報に関する情報を光学情報として前記操作指示装置に伝送し、前記操作指示装置は前記表示装置から伝送された光学情報を受け取り、受け取った光学情報から前記操作指示情報に関する情報を認識し、該認識した情報を出力することを特徴とする。
【００１４】
また、請求項８の発明は、請求項７の発明において、前記操作指示装置は、前記認識した情報に対応する音声を出力することを特徴とする。
【００１５】
また、請求項９の発明は、請求項７の発明において、前記表示装置は、前記画面の特定領域の発光のＯＮ／ＯＦＦを制御することで前記光学情報を生成することを特徴とする。
【００１６】
また、請求項１０の発明は、請求項７の発明において、前記表示装置は、前記画面の特定領域を複数の段階を設けて表示することで前記光学情報を生成することを特徴とする。
【００１７】
また、請求項１１の発明は、請求項７の発明において、前記表示装置は、前記ハードキー毎に前記操作指示情報が設定されている場合、該ハードキーに設定された操作指示情報に対応する表示レイアウトを表示することを特徴とする。
【発明の効果】
【００１８】
本発明によれば、ハードキーを介してタッチパネルを操作することで、視覚情報に頼らずに操作指示情報を入力することが可能になるという効果を奏する。
【００１９】
また、本発明によれば、既存のタッチパネルにハード的な改造を加えることなく利用でき、また、双方向の情報のやり取りも可能であるため、音声ガイドをはじめ、インタラクティブな処理を実現することが可能になるという効果を奏する。
【発明を実施するための最良の形態】
【００２０】
以下、本発明に係る表示装置、操作指示装置および方法の実施の形態について添付図面を参照して詳細に説明する。
【００２１】
図１は、本発明に係る操作指示装置１の外形の一例を示す図である。
【００２２】
操作指示装置１はクリック感のある複数のハードキー２で構成され、必要に応じてスピーカー３、音量ボリューム等を付加することで、音声ガイド機能を実現することができる。これらハードキー２の表側には、「コピー」、「ファクス」、「スキャン」等の各種機能の名称が記載されている。操作指示装置１の裏側には、表示装置からの現在の状態、次にすべき指示等の情報を示す光学情報を受光する光学情報受光部４が取り付けられている。
【００２３】
図２は、操作指示装置１の汎用の表示装置５への取り付けの一例を示す図である。
【００２４】
図２に示すように、汎用の表示装置５は、ＬＣＤのタッチパネル６と、ナンバーキー、スタートキー、ストップキー、リセットキー等のハードキー７とを具備して構成されている。
【００２５】
本発明では、タッチパネル６の上に操作指示装置１を設置するだけで良い。決して、タッチパネル６と操作指示装置１とが一体型になっているのではなく、あくまでもタッチパネル６の上に操作指示装置１を重ねているだけである。
【００２６】
そして、タッチパネル６の上に操作指示装置１が設置されると、図２に示すように、表示装置５はタッチパネル６の表示レイアウトを操作指示装置１のハードキーに対応する表示レイアウトに変更する。例えば、操作指示装置１の「コピー」と記載されたハードキーが接触する部分をコピー機能指示領域とする。つまり、操作指示装置１の「コピー」と記載されたハードキーが押下等されると、押下等されたハードキーが物理的にタッチパネルのコピー機能指示領域に接触し、その指示が本体（いわゆる、表示措置５を具備している装置本体の主制御部等）に送られることになる。
【００２７】
また、表示レイアウトとして操作指示装置１に情報を送る光学情報発光領域８が設けられ、この領域の位置は操作指示装置１の裏側に取り付けられている光学情報受光部４の位置に対応している。表示装置５から操作指示装置１への情報伝送は、タッチパネル６の光学情報発光領域８のＯＮ／ＯＦＦの状態を操作指示装置１の光学情報受光部４が読み取り、バイナリデータとして読み取ることができる。
【００２８】
なお、単なるＯＮ／ＯＦＦのような２値の制御に限定する必要はなく、例えば、画像の表示の状態に複数の段階を設ける、画像の表示の状態に複数の色情報を設ける等のアナログ的に複数の段階を設ける構成も適用可能である。また、二次元バーコード等の他の方式を用いる構成も適用可能である。
【００２９】
上述した構成を用いることで、表示装置５に対して表示レイアウト、光学情報発光領域８を設ける等を含めたソフトウェアの追加が必要になるものの、表示装置５のハード構成を変更する必要はない。
【００３０】
図３は、操作指示装置１および表示装置５の機能的な構成を示す図である。
【００３１】
タッチパネル６の上に操作指示装置１が設置されると、表示装置５の表示制御部９はタッチパネル６の表示レイアウトを操作指示装置１に対応する表示レイアウトに変更する。なお、操作指示装置１の設置の検出の方法として、ハード的な検出、ソフト的な検出どちらを用いても良い。
【００３２】
操作指示装置１のハードキーが押下されると、押下されたハードキーが物理的にタッチパネル６に接触する。表示装置５の表示制御部９はタッチパネル６上のハードキーが接触した位置を特定し、特定した位置に基づいて操作指示情報を認識する。
【００３３】
具体的には、表示制御部５が操作指示情報が「コピー」であると認識した場合、タッチパネル６の光学情報発光領域８のＯＮ／ＯＦＦを制御してコピーモードに移行したという情報を操作指示装置１に伝送する。操作指示装置１の光学情報受光部４はタッチパネル６の光学情報発光領域８のＯＮ／ＯＦＦの状態を読み取り、光学情報認識部１０が光学情報発光領域８のＯＮ／ＯＦＦの状態からコピーモードに移行したという情報を認識し、「コピーモードに移行しました」という音声ガイドをスピーカー３から出力する。なお、音声ガイド以外の音声を出力しても良い。
【００３４】
次に、操作指示装置および表示装置で行われる処理手順について図４に示すフローチャートを参照して説明する。
【００３５】
操作指示装置が表示装置のタッチパネルの上に設置される（ステップＳ４０１）。表示装置はタッチパネルの表示レイアウトを変更する（ステップＳ４０２）。操作指示装置のハードキーが押下される（ステップＳ４０３）。
【００３６】
表示装置はタッチパネルの押下位置に基づいて操作指示情報を認識し（ステップＳ４０４）、操作指示装置に対して情報を光学情報として伝送する（ステップＳ４０５）。
【００３７】
操作指示装置は光学情報を受信し（ステップＳ４０６）、受信した光学情報を認識し（ステップＳ４０７）、認識した情報に従う処理を行う（ステップＳ４０８）。
【００３８】
なお、透明なハードキーを用いることで、タッチパネルの表示レイアウトを利用する構成も適用可能である。そのような構成を適用する場合、例えば、図５に示すように、操作指示装置１の「原稿モード」のハードキーを押下すると、表示が「原稿モード」から「Ａ４」に変更するようにしても良い。
【００３９】
また、タッチパネルの一部のみ操作指示装置を設置し、タッチパネルの表示レイアウトの一部を利用する構成も適用可能である。例えば、図６に示すように、タッチパネル６の下部に操作指示装置１を設置し、タッチパネル６の上部に現在の状態等を大きな文字で表示している。
【図面の簡単な説明】
【００４０】
【図１】本発明に係る操作指示装置の外形の一例を示す図である。
【図２】操作指示装置の汎用の表示装置への取り付けの一例を示す図である。
【図３】操作指示装置および表示装置の機能的な構成を示す図である。
【図４】操作指示装置および表示装置で行われる処理手順を示すフローチャートである。
【図５】本発明に係る変形例を示す図である。
【図６】本発明に係る変形例を示す図である。
【符号の説明】
【００４１】
１    操作指示装置
２    ハードキー
３    スピーカー
４    光学情報受光部
５    表示装置
６    タッチパネル
７    ハードキー
８    光学情報発光領域
９    表示制御部
１０    光学情報認識部
【図１】
2006178880.tif 000003
【図２】
2006178880.tif 000004
【図３】
2006178880.tif 000005
【図４】
2006178880.tif 000006
【図５】
2006178880.tif 000007
【図６】
2006178880.tif 000008